(57)【要約】【課題】高い吸い込み力を維持しながら騒音を低減した電気掃除機を提供すること。【解決手段】空気を吸引する電動送風機１３と、電動送風機１３の後面に備えられ、電動送風機１３を掃除機本体５内部に保持するための保持体１２とを備え、保持体１２には電動送風機１３の開口部２３と隙間２を有しながら開口部２３を覆うように延出した壁体２２を備え、壁体２２の内側もしくは外側に吸音材３２を設けたことにより、電動送風機１３の開口部２３から排気される空気が開口部２３と壁体２２との隙間２から効率的に流出し、かつ開口部２３からの排気に乗った騒音が、壁体２２と壁体２２に設けた吸音材３２で遮音および吸音されるため、高い吸い込み力を維持しながら騒音を低減した電気掃除機を提供することが可能となる。【選択図】図３
2013172806.tif 000002
【特許請求の範囲】
【請求項１】
掃除機本体と、空気を吸気口から吸引し開口部から排気する電動送風機と、前記電動送風機の後面に設けられ前記電動送風機を前記掃除機本体内部に保持するための保持体と、前記保持体に一体に設けられ前記電動送風機の開口部と隙間を有しながら前記開口部を覆うように延出した壁体と、を備え、
前記壁体の内側もしくは外側に吸音材を設けたことを特徴とする電気掃除機。
【請求項２】
壁体に格子状の開口穴を設けた請求項１に記載の電気掃除機。
【請求項３】
壁体の開口穴近傍に前記壁体から突出した係止部を備え、吸音材には前記壁体の係止部に適合する位置に穴を備え、前記吸音材を前記係止部で保持するようにした請求項２に記載の電気掃除機。
【請求項４】
壁体には電動送風機の外郭まで延出するリブを１つ以上設けた請求項１〜３のいずれか１項に記載の電気掃除機。
【発明の詳細な説明】
【技術分野】
【０００１】
本発明は電動送風機の高い吸い込み力を維持しながら騒音を低減した電気掃除機に関するものである。
【背景技術】
【０００２】
従来、この種の電気掃除機は電動送風機の開口部や電動送風機を収納するケース体に吸音材を設けることで電動送風機の騒音を低減している（例えば、特許文献１参照）。
【先行技術文献】
【特許文献】
【０００３】
【特許文献１】実開昭５７−２０２８５８号公報
【発明の概要】
【発明が解決しようとする課題】
【０００４】
しかしながら、前記従来の構成では、電動送風機の外周に軟質の吸音材を嵌めている簡易な方法であるために、吸音材が電動送風機の開口部を塞いでしまうことで排気を効率的に排出できずに掃除機の吸い込み力を損失してしまったり、逆に吸音材と電動送風機の開口部との間に大きな隙間が生じることで電動送風機から発せられる騒音が外部に漏れてしまったりする課題を有していた。また、この課題は掃除機製造時において吸い込み力と騒音の個体ばらつきが大きくなるという課題にもつながっていた。
【０００５】
本発明は、前記従来の課題を解決するもので、簡易な構成で最適な位置に吸音材を確実に位置することで、高い吸い込み力を維持しながら騒音を低減した電気掃除機を提供することを目的とする。
【課題を解決するための手段】
【０００６】
前記従来の課題を解決するために、本発明の電気掃除機は、掃除機本体と、空気を吸気口から吸引し開口部から排気する電動送風機と、前記電動送風機の後面に設けられ前記電動送風機を前記掃除機本体内部に保持するための保持体と、前記保持体に一体に設けられ前記電動送風機の開口部と隙間を有しながら前記開口部を覆うように延出した壁体と、を備え、前記壁体の内側もしくは外側に吸音材を設けたものである。
【０００７】
これによって、電動送風機の開口部から排出される空気が開口部と壁体との隙間から効率的に流出しながら、電動送風機から発せられる騒音が壁体と壁体に設けた吸音材で遮音および吸音されるため、高い吸い込み力を維持しながら騒音を低減した電気掃除機を提供することが可能となる。
【発明の効果】
【０００８】
本発明の電気掃除機は、高い吸い込み力を維持しながら騒音を低減された構成を有する。
【図面の簡単な説明】
【０００９】
【図１】本発明の第１の実施の形態における電気掃除機の全体斜視図
【図２】同、電気掃除機の水平断面図
【図３】同、電気掃除機の横断面図
【図４】同、電気掃除機の電動送風機部周辺部分の横断面図
【図５】同、電気掃除機の保持体および吸音材の組み立て状態を示す斜視図
【図６】同、電気掃除機の電動送風機、保持体および吸音材の組み立て前状態を示す展開図
【図７】同、電気掃除機の電動送風機、保持体および吸音材の組み立て状態を示す斜視図
【図８】同、電気掃除機の中央断面図
【発明を実施するための形態】
【００１０】
第１の発明は、掃除機本体と、空気を吸気口から吸引し開口部から排気する電動送風機と、前記電動送風機の後面に設けられ前記電動送風機を前記掃除機本体内部に保持するための保持体と、前記保持体に一体に設けられ前記電動送風機の開口部と隙間を有しながら前記開口部を覆うように延出した壁体と、を備え、前記壁体の内側もしくは外側に吸音材を設けたことにより、電動送風機の開口部から排出される空気が開口部と壁体との隙間から効率的に流出しながら、電動送風機から発せられる騒音が壁体と壁体に設けた吸音材で遮音および吸音されるため、高い吸い込み力を維持しながら騒音を低減することができる。
【００１１】
第２の発明は、特に、第１の発明の壁体に格子状の開口穴を設けたことにより、電動送風機の開口部から排出される空気が壁体の開口穴を通り抜ける経路ができるために電動送風機の排気がさらに効率良く流出できるとともに、開口穴を通り抜ける排気は同時に吸音材を通過するため、吸音材で吸音される効果も向上させることができる。
【００１２】
第３の発明は、特に、第２の発明の壁体の開口穴近傍に前記壁体から突出した係止部を備え、吸音材には前記壁体の係止部に適合する位置に穴を備え、前記吸音材を前記係止部で保持するようにしたことにより、開口穴を通る排気は同時に吸音材を通過するため、排気風に乗った騒音が吸音材で吸音され低減される。また、吸音材の穴に壁体から突出した係止部を挿入することで吸音材を壁体に簡易な方法で固定できるとともに、吸音材に接着剤などの通気性を阻害するものを併設する必要がないため、電動送風機の排気を効率良く流出させることができる。
【００１３】
第４の発明は、特に、第１〜３のいずれか１つの発明の壁体には電動送風機の外郭まで延出するリブを１つ以上設けたことにより、壁体の成形時の反りや電動送風機の排気風圧の負荷などによって、電動送風機外郭に対して壁体の位置がずれるのを防ぎ、壁体と吸音材による遮音および吸音の効果をばらつきなく確実に得ることができる。
【００１４】
以下、本発明の実施の形態について、図面を参照しながら説明する。なお、この実施の形態によって本発明が限定されるものではない。
【００１５】
（実施の形態）
図１において、電気掃除機１００は、吸引風を発生させる電動送風機（図示せず）を内蔵する掃除機本体５と、被清掃面の塵埃を吸引する吸込具１０１と、一端が吸込具１０１に着脱自在に接続される伸縮自在或いは継ぎ自在の延長管１０２と、一端が延長管１０２の他端に着脱自在に接続され、他端が掃除機本体５の前部に設けられた吸入口１０３に着脱自在に接続されるホース１０４と、から構成されている。
【００１６】
掃除機本体５の後方の両側面には、走行用の車輪１０５が回転自在に取り付けられている。また、掃除機本体５の下面の前部には、走行用のキャスター１０６が取り付けられている。さらに、掃除機本体５の前方の上部には、使用者が掃除機本体５を持ち運ぶ際に使用する本体ハンドル１０７が設けられている。
【００１７】
吸込具１０１には、被清掃面の塵埃を掻きあげる回転ブラシ１０８と、回転ブラシ１０
８を回転駆動する駆動モータ１０９と、が内蔵されている。
【００１８】
ホース１０４の延長管１０２側の端部には、使用者が掃除の際に握る把手部１１０を有する先端パイプ１１１が設けられている。また、ホース１０４の掃除機本体５側の端部には、掃除機本体５の吸入口１０３に着脱自在に接続される接続パイプ１１２が設けられている。
【００１９】
図２、３に示すように、掃除機本体５は、掃除機本体５の下面を形成する下部材６と、下部材６の後方の上面を形成する上部材７と、集塵室８の上面及び上部材７の上面を覆うとともに、掃除機本体５の上面を形成する蓋体９と、掃除機本体５の側面を形成するカバー体１０と、から構成されている。また、蓋体９の後部は、上部材７に回動自在に軸支されている。
【００２０】
掃除機本体５の後部には、吸引風を発生させる電動送風機１３を内蔵する電動送風機室１４が設けられている。また、掃除機本体５の前部には、塵埃を捕集する集塵袋１５が着脱自在に配置される集塵室８が設けられている。
【００２１】
電動送風機１３は、主として、吸引風を発生させるファン１７と、ファン１７から放出された気流を整流するエアガイド１８と、ファン１７を回転駆動するモータ１９と、ファン１７及びエアガイド１８を内包するファンケース２０と、モータ１９を内包するとともに、ファンケース２０に機密に取り付けられるモータケース２１と、から構成されている。
【００２２】
また、モータケース２１には、電動送風機１３のモータ１９を通過した吸引風を排出する開口部２３が電動送風機１３の側面に左右２箇所設けられている。
【００２３】
図３に示すように、電動送風機１３の外周には、電動送風機１３の上部を覆う上ケース２４と、電動送風機１３の下部を覆う下ケース２５とが設けられ、電動送風機１３は、上ケース２４及び下ケース２５により挟持された状態で電動送風機室１４内に配置されている。
【００２４】
また、図２、３に示すように、電動送風機１３の前部及び後部には、それぞれ、弾性材料から構成されたサポート前２６及びサポート後２７が設けられており、このサポート前２６及びサポート後２７は、上ケース２４及び下ケース２５により挟持されている。
【００２５】
また、図２、６に示すように、サポート後２７は電動送風機１３の後面に２箇所ネジ１１にて固定された保持体１２の後部の溝１６に嵌合して固定されている。
【００２６】
また、図２、３、７に示すように、保持体１２は電動送風機１３の開口部２３と隙間２を有しながら開口部２３を覆うように延出した壁体２２を左右２箇所有しており、壁体２２には格子状の開口穴２８が設けられている。
【００２７】
また、図５、６、７に示すように、保持体１２には電動送風機１３の外周に対し外側に突出して延びる係止部３１が３箇所設けられており、そのうち２箇所は壁体２２の開口穴２８近傍に位置する。壁体２２の外側には通気性を有する吸音材３２を備えており、吸音材３２の穴３３が保持体１２の係止部３１に嵌まることで、吸音材３２が壁体２２の外側を覆う状態で保持されるようにしている。
【００２８】
また、図４、５に示すように、壁体２２の内側には電動送風機１３のモータケース２１外郭まで延出するリブ３４が設けられ、壁体２２の位置を規制している。
【００２９】
また、図８に示すように、下ケース２５の下部には、開口部２３から排出された吸引風を排出する排出口２９が設けられている。また、掃除機本体５の後部には、排出口２９から排出された吸引風を掃除機本体５の外部へと排出する主排気口３０が設けられている。
【００３０】
以上のように構成された電気掃除機について、以下その動作、作用を説明する。
【００３１】
使用者により電気掃除機１００の運転が開始されると、電動送風機１３のモータ１９が駆動され、ファン１７が回転駆動される。被清掃面の塵埃は、吸込具１０１の下面に設けられた吸込口（図示せず）から吸引され、延長管１０２及びホース１０４を介して、掃除機本体５の内部へと流入し、集塵袋１５によって捕集される。
【００３２】
モータ１９によってファン１７が回転駆動されると、電動送風機１３に設けられた吸気口３から電動送風機１３の内部に外気が吸気され、電動送風機１３で吸引風が発生する。電動送風機１３で発生した吸引風は、ファン１７の内部を通ってファン１７の外周側からファン１７の外部へと排出される。ファン１７の外部へ排出された吸引風は、エアガイド１８によって整流された後、モータ１９の内部を通過し、モータケース２１に設けられた開口部２３から電動送風機１３の外部へと排出される。
【００３３】
開口部２３から排出された吸引風の一部は、開口部２３と壁体２２の隙間２を通過し、下ケース２５に設けられた排出口２９から排出される。その他の吸引風は壁体２２の開口穴２８を通過した後、壁体２２外側に設けられた吸音材３２を通過し、同じく下ケース２５に設けられた排出口２９から排出される。排出口２９から排出された吸引風は、主排気口３０から掃除機本体５の外部へと排出される。
【００３４】
電動送風機１３の開口部２３からは、モータ１９による振動音、回転音、ファン１７やエアガイド１８などを吸引風が通過する際に生じる風切り音など、電気掃除機を使用者が使用する際に不快に感じる騒音が発生しており、この騒音を低減させることが使い勝手の良い掃除機を提供するのに重要な課題である。
【００３５】
電動送風機１３を覆っている下ケース２５や上ケース２４、掃除機本体５の外郭を形成している上部材７や下部材６などに吸音材を設置することでこの騒音を低減させることが可能であるが、多くの吸音材を使用する必要があるため高価となったり、軟質の吸音材を設置する際にずれたりすることによって、騒音効果にばらつきが生じる要因にもなる。
【００３６】
本実施の形態では、発生している騒音の源流となっている電動送風機１３の開口部２３に対面する側に吸音材３２を、保持体１２から延出させた壁体２２の開口穴２８を介して開口部２３と隙間２を空けて設置することで効果的に騒音を低減しこれらの課題を克服したものである。
【００３７】
本実施の形態では、開口部２３から排出された吸引風の一部が、開口部２３と壁体２２の隙間２を通過し、下ケース２５に設けられた排出口２９に効率よく排出できるため吸引風の流れを阻害しないようにしている。このとき、開口部２３は吸音材３２を備えた壁体２２に隙間２を空けて覆われているため、開口部２３から発せられた騒音が壁体２２によって遮音されるとともに吸音材３２によって吸音される効果を発揮する。
【００３８】
その他の吸引風は壁体２２の開口穴２８を通過し、壁体２２外側に設けられた吸音材３２を通過するため、吸引風に乗った騒音が吸音材３２を通過する際に低減されるとともに吸引風の勢いを全く遮るのではなくある程度吸引風を流すことで吸引風を効率的に排出しながら、乱流の発生による新たな音の発生も防いでいる。これらの効果によって高い吸い
込み力を維持しながら騒音が低減することができる。
【００３９】
また、開口部２３と壁体２２の隙間２を広くすることで吸引風をより効率的に排出でき、開口部２３と壁体２２の隙間２を狭くすることで吸音材３２を通過する吸引風の割合を増やすことによってより騒音を低減させることができるため、開発する電気掃除機の仕様によって、また、使用する電動送風機１３の特性によって、壁体２２の位置を変更することで容易に効果を調節できるため非常に応用性の高いものとなっている。
【００４０】
吸音材３２の保持の方法として、電動送風機１３の保持体１２から電動送風機１３の開口部２３を覆うように延出した壁体２２を利用しているため新規に保持専用の部品を設ける必要がなく、安価な構成にすることができる。また、吸音材３２の穴に壁体２２の係止部３１を挿入する方法で保持しているため、組立が容易であるとともに、吸音材３２に接着剤などの通気性を阻害するものを併設する必要がないため、電動送風機１３の排気を効率良く流出させることが可能となっている。
【００４１】
また、壁体２２の内側には電動送風機１３のモータケース２１外郭まで延出するリブ３４が設けられているため、壁体２２の成形時の反りや電動送風機１３の排気風圧の負荷などによって、電動送風機１３外郭に対して壁体２２の位置ずれが発生するのを防ぎ、壁体２２と吸音材３２の効果をばらつきなく確実に獲得することができる。
【００４２】
尚、上述の実施の形態の説明では、保持体１２から突出して延びる係止部３１を電動送風機１３の外周に対し外側に向けて突出させて、吸音材３２を壁体２２の外側に配置する構成で説明したが、この構成に限定されず、保持体１２から突出して延びる係止部３１を電動送風機１３の外周に対し内側に向けて突出させ、吸音材３２を壁体２２の内側に配置することでも、吸音材３２による吸音効果は同様に得られるものである。
【産業上の利用可能性】
【００４３】
以上のように、本発明にかかる電気掃除機は、簡易な構成で最適な位置に吸音材を確実に位置することができるため、高い吸い込み力を維持しながら騒音を低減した電気掃除機の用途にも適用できる。
【符号の説明】
【００４４】
３  吸気口
１２  保持体
１３  電動送風機
２２  壁体
２３  開口部
２８  開口穴
３１  係止部
３２  吸音材
３３  穴
３４  リブ
【図１】
2013172806.tif 000003
【図２】
2013172806.tif 000004
【図３】
2013172806.tif 000005
【図４】
2013172806.tif 000006
【図５】
2013172806.tif 000007
【図６】
2013172806.tif 000008
【図７】
2013172806.tif 000009
【図８】
2013172806.tif 000010